(57)【要約】【課題】温度変化による複数の光ビームの主走査方向における相対位置のずれを低減する光走査装置を提供する。【解決手段】複数の光源２１と、複数の光源をそれぞれ保持する複数の光源ユニット６と、複数の光源ユニットから出射された複数の光ビームで複数の感光体１０を走査するために複数の光ビームを主走査方向に偏向する偏向部材１１と、複数の光源ユニット及び偏向部材を支持する筐体７１とを有し、筐体は、複数の光源ユニットが固定される開口部６２ａが設けられており、複数の光源ユニットのうちの第一の複数の光源ユニットは、主走査方向における一方側で開口部に固定され、複数の光源ユニットのうちの第二の複数の光源ユニットは、主走査方向における他方側で開口部に固定されている光走査装置。【選択図】図１
2015138226.tif 000002
【特許請求の範囲】
【請求項１】
複数の光源と、
前記複数の光源をそれぞれ保持する複数の光源ユニットと、
前記複数の光源ユニットから出射された複数の光ビームで複数の感光体を走査するために前記複数の光ビームを主走査方向に偏向する偏向部材と、
前記複数の光源ユニット及び前記偏向部材を支持する筐体と
を有し、
前記筐体は、前記複数の光源ユニットが固定される開口部が設けられており、
前記複数の光源ユニットのうちの第一の複数の光源ユニットは、前記主走査方向における一方側で前記開口部に固定され、前記複数の光源ユニットのうちの第二の複数の光源ユニットは、前記主走査方向における他方側で前記開口部に固定されている光走査装置。
【請求項２】
前記筐体に固定され、前記複数の光源ユニットを保持する光源保持部材をさらに有し、
前記開口部は、前記光源保持部材に設けられている請求項１に記載の光走査装置。
【請求項３】
前記第一の複数の光源ユニットは、前記主走査方向における前記一方側の前記開口部の第一壁面に当接して位置決めされ、
前記第二の複数の光源ユニットは、前記主走査方向における前記他方側の前記開口部の第二壁面に当接して位置決めされる請求項１又は２に記載の光走査装置。
【請求項４】
前記複数の光源ユニットのそれぞれは、円筒体である請求項１乃至３のいずれか一項に記載の光走査装置。
【請求項５】
前記複数の光源ユニットが前記開口部に固定されるそれぞれの固定部は、前記主走査方向に対して垂直な副走査方向において前記複数の光源ユニットのそれぞれの光源と同じ位置である請求項１乃至４のいずれか一項に記載の光走査装置。
【請求項６】
前記第一の複数の光源ユニットは、前記主走査方向において同じ位置に且つ前記主走査方向に対して同じ角度で前記開口部に固定され、
前記第二の複数の光源ユニットは、前記主走査方向において同じ位置に且つ前記主走査方向に対して同じ角度で前記開口部に固定されている請求項１乃至５のいずれか一項に記載の光走査装置。
【請求項７】
前記第一の複数の光源ユニットは、前記主走査方向において前記第二の複数の光源ユニットと異なる角度で前記開口部に固定されている請求項１乃至６のいずれか一項に記載の光走査装置。
【請求項８】
前記第一の複数の光源ユニットのうちの一つの光源ユニットからの光ビームを検出して第一同期信号を出力し、前記第二の複数の光源ユニットのうちの一つの光源ユニットからの光ビームを検出して第二同期信号を出力する同期検出部と、
前記第一同期信号に従って前記第一の複数の光源ユニットからの光ビームの出射を開始し、前記第二同期信号に従って前記第二の複数の光源ユニットからの光ビームの出射を開始する制御部と
をさらに有する請求項１乃至７のいずれか一項に記載の光走査装置。
【請求項９】
記録媒体に画像を形成する画像形成装置であって、
感光体と、
前記感光体の上に静電潜像を形成する請求項１乃至８のいずれか一項に記載の光走査装置と、
を有する画像形成装置。
【発明の詳細な説明】
【技術分野】
【０００１】
本発明は、複数の光源を有する光走査装置、及び光走査装置を有する画像形成装置に関する。
【背景技術】
【０００２】
従来、電子写真画像形成装置は、感光体上に静電潜像を形成するために感光体を光ビームで走査する光走査装置を有するものがある。特許文献１は、複数の光ビームを主走査方向及び副走査方向においてそれぞれ異なる入射角度で一つの回転多面鏡の反射面へ入射させる光走査装置を提案している。
【０００３】
特許文献１において、光源ユニットは、２つの光源と、２つのカップリングレンズと、２つの光源及び２つのカップリングレンズを保持する保持部材を有する。２つのカップリングレンズは、保持部材から突出したレンズ保持部の両側に接着剤によって固定されている。光源ユニットの２つの光源は、２つの光源からの２つの光ビームが副走査方向においてそれぞれ異なる入射角度で回転多面鏡の反射面へ入射するように保持部材に保持されている。また、２つの光源からの２つの光ビームが主走査方向においてそれぞれ異なる入射角度で回転多面鏡の反射面へ入射するように、光源ユニットは、光学的基準面に対して傾けられている。
【０００４】
特許文献１の光走査装置は、さらに、２つの光源ユニットを組み合わせて、４つの光源から４つの光ビームを射出することができる。２つの光源ユニットを光学的基準面に対して傾けることにより、４つの光ビームを主走査方向及び副走査方向においてそれぞれ異なる入射角度で回転多面鏡の反射面へ入射させることができる。
【先行技術文献】
【特許文献】
【０００５】
【特許文献１】特開２００７−４１４２０号公報
【発明の概要】
【発明が解決しようとする課題】
【０００６】
光源ユニットの保持部材から突出しているレンズ保持部は、温度変化によって変形しやすい。従って、光源に対するカップリングレンズの位置は、温度変化に応じて変化することがある。また、光源ユニットは、光学的基準面に対して傾いているので、温度変化によって光源ユニットが変形したときに、複数の光ビームの主走査方向における相対位置にずれが生じることがある。主走査方向のずれは、感光体への光ビームの書き込みタイミングのずれを生じさせるため、色ずれの原因となる。
【０００７】
そこで、本発明は、温度変化による複数の光ビームの主走査方向における相対位置のずれを低減する光走査装置を提供する。
【課題を解決するための手段】
【０００８】
本発明による光走査装置は、複数の光源と、前記複数の光源をそれぞれ保持する複数の光源ユニットと、前記複数の光源ユニットから出射された複数の光ビームで複数の感光体を走査するために前記複数の光ビームを主走査方向に偏向する偏向部材と、前記複数の光源ユニット及び前記偏向部材を支持する筐体とを有し、前記筐体は、前記複数の光源ユニットが固定される開口部が設けられており、前記複数の光源ユニットのうちの第一の複数の光源ユニットは、前記主走査方向における一方側で前記開口部に固定され、前記複数の光源ユニットのうちの第二の複数の光源ユニットは、前記主走査方向における他方側で前記開口部に固定されている。
【発明の効果】
【０００９】
本発明によれば、温度変化による複数の光ビームの主走査方向における相対位置のずれを低減することができる。
【図面の簡単な説明】
【００１０】
【図１】実施例１の光源装置を示す正面図。
【図２】実施例１の光走査装置を示す斜視図。
【図３】実施例１の光走査装置内の光学素子を示す平面図。
【図４】回転多面鏡により偏向された光ビームを示す図。
【図５】図２のＶ−Ｖ線に沿って取った光走査装置の断面図。
【図６】実施例１の光源ユニットを示す斜視図。
【図７】実施例１の光源装置を示す図。
【図８】実施例１の光源装置を示す断面図。
【図９】実施例１の光源装置を示す斜視図。
【図１０】同期信号と光ビームを示すタイムチャート。
【図１１】光ビームの出射を制御する制御システムのブロック図。
【図１２】二つの同期信号と光ビームを示すタイムチャート。
【図１３】実施例１の第一変形例による光源装置を示す正面図。
【図１４】実施例１の第二変形例による光源装置を示す正面図。
【図１５】実施例１の第三変形例による光源装置を示す図。
【図１６】実施例２の光源装置を示す斜視図。
【図１７】画像形成装置を示す断面図。
【図１８】画像位置のずれを示す図。
【発明を実施するための形態】
【００１１】
以下、添付図面を参照して本発明による実施例を説明する。
【実施例１】
【００１２】
（画像形成装置）
図１７は、画像形成装置１を示す断面図である。画像形成装置１は、光走査装置１００を有するカラー電子写真画像形成装置である。ここで、電子写真画像形成装置とは、電子写真画像形成プロセスを用いて、記録媒体に画像を形成するものである。電子写真画像形成装置としては、例えば、電子写真複写機（例えば、デジタル複写機）、電子写真プリンタ（例えば、カラーレーザビームプリンタ）、ＭＦＰ（複合機）、ファクシミリ装置、及びワードプロセッサがある。
【００１３】
画像形成装置１は、複数色のトナーを用いて記録媒体にカラー画像を形成する。画像形成装置１は、４つの画像形成部３００（３００Ｙ、３００Ｍ、３００Ｃ、３００Ｋ）を有する。４つの画像形成部３００は、感光体（像担持体）としての感光ドラム１０（１０Ｙ、１０Ｍ、１０Ｃ、１０Ｋ）をそれぞれ有する。感光ドラム１０の周りには、帯電装置３０２、現像装置３０４、及び一次転写ローラ３０６が配置されている。光走査装置１００は、感光ドラム１０の下方に配置されている。光走査装置１００は、複数の感光ドラム１０Ｙ、１０Ｍ、１０Ｃ、１０Ｋを複数のレーザ光（以下、光ビームという。）Ｌ（ＬＹ、ＬＭ、ＬＣ、ＬＫ）でそれぞれ走査する。
【００１４】
中間転写ベルト（中間転写体）３１０は、感光ドラム１０の上方に配置されている。中間転写ベルト３１０は、駆動ローラ３１２及び従動ローラ３１４に張架されている。中間転写ベルト３１０は、矢印Ｇで示す方向に回転する。一次転写ローラ３０６は、中間転写ベルト３１０を介して感光ドラム１０に対向して配置され、感光ドラム１０と中間転写ベルト３１０の間に一次転写部ＰＴを形成する。
【００１５】
レジストレーションマーク検出装置３１６は、中間転写ベルト３１０の近傍に配置されている。レジストレーションマーク検出装置３１６は、画像形成部３００により中間転写ベルト３１０の上に形成された複数色のレジストレーションマーク（不図示）を検出する。
【００１６】
二次転写ローラ３１８は、中間転写ベルト３１０を介して従動ローラ３１４に対向して配置され、二次転写ローラ３１８と中間転写ベルト３１０の間に二次転写部ＳＴを形成する。
【００１７】
記録媒体Ｓを収容した給送カセット３２０は、画像形成装置１の下部に配置されている。定着装置５００は、記録媒体Ｓの搬送方向において二次転写部ＳＴの下流側に配置されている。排出ローラ３３０及び排出トレイ３３２は、画像形成装置１の上部に配置されている。
【００１８】
（画像形成プロセス）
次に、画像形成装置１の画像形成プロセスを説明する。４つの画像形成部３００における画像形成プロセスは同一であるので、イエロー画像形成部３００Ｙにおける画像形成プロセスを説明する。マゼンタ画像形成部３００Ｍ、シアン画像形成部３００Ｃ、およびブラック画像形成部３００Ｋにおける画像形成プロセスの説明は、省略する。
【００１９】
帯電装置３０２は、感光ドラム１０Ｙの表面を均一に帯電する。光走査装置１００は、イエローの画像情報に従って変調された光ビームＬＹを、感光ドラム１０Ｙの均一に帯電された表面に照射し、感光ドラム１０Ｙ上に静電潜像を形成する。現像装置３０４は、イエロートナー（現像剤）により静電潜像を現像してイエロートナー像とする。一次転写ローラ３０６は、感光ドラム１０Ｙ上のイエロートナー像を一次転写部ＰＴで中間転写ベルト３１０上へ一次転写する。
【００２０】
同様にして、マゼンタ画像形成部３００Ｍにより形成されたマゼンタトナー像は、中間転写ベルト３１０上のイエロートナー像の上に重ねて転写される。シアントナー像及びブラックトナー像も、中間転写ベルト３１０上に順次重ねて転写される。その結果、４色のトナー像は、中間転写ベルト３１０上に重ね合わされる。
【００２１】
一方、記録媒体Ｓは、給送カセット３２０からピックアップローラ３２２により取り出される。記録媒体Ｓは、給送ローラ３２４により一枚ずつに分離されて給送される。記録媒体Ｓは、搬送ローラ３２６によりレジストレーションローラ３２８へ搬送される。レジストレーションローラ３２８は、中間転写ベルト３１０上のトナー像とタイミングを合わせて記録媒体Ｓを二次転写部ＳＴへ搬送する。
【００２２】
中間転写ベルト３１０上に重ね合わされた４色のトナー像は、二次転写部ＳＴにおいて二次転写ローラ３１８により一括して記録媒体Ｓ上へ二次転写される。
【００２３】
トナー像が転写された記録媒体Ｓは、定着装置５００へ搬送される。定着装置５００において、記録媒体Ｓは、定着ローラ５１０により加熱および加圧されてトナー像が記録媒体Ｓに定着される。画像が形成された記録媒体Ｓは、排出ローラ３３０により排出トレイ３３２上へ排出される。
【００２４】
（画像位置の調整）
ここで、画像位置の調整（補正）について説明する。複数色のトナー像の位置がずれると、色ずれを生ずる。色ずれを補正するために、制御装置３３４は、画像位置を調整する。
【００２５】
画像形成装置１は、制御装置３３４を有する。制御装置３３４は、レジストレーションマーク検出装置３１６及び光走査装置１００に電気的に接続されている。画像形成部３００は、中間転写ベルト３１０上にそれぞれの色のレジストレーションマーク（不図示）を形成する。レジストレーションマーク検出装置３１６は、中間転写ベルト３１０上に形成されたレジストレーションマーク（不図示）を検出する。制御装置３３４は、レジストレーションマーク検出装置３１６の検出結果に基づいて画像位置を調整するために光走査装置１００を制御する。
【００２６】
図１８は、画像位置のずれを示す図である。図１８（Ａ）は、上下マージンずれを示す図、図１８（Ｂ）は、左右マージンずれを示す図、図１８（Ｃ）は、走査線傾きずれを示す図、図１８（Ｄ）は、倍率ずれを示す図、及び図１８（Ｅ）は、走査線曲がりを示す図である。
【００２７】
図１８において、記録媒体Ｓ上の画像ｍ0と画像ｎ0は、基準となるイエローの画像である。画像ｍ1と画像ｎ2は、イエロー以外のマゼンタ、シアン、又はブラックの画像である。画像ｍ3は、走査線傾きずれの画像である。画像ｍ4は、倍率ずれの画像である。画像ｍ5は、走査線曲がりの画像である。図１８において、矢印Ａで示す方向は、記録媒体Ｓの搬送方向（副走査方向）である。図１８において、主走査方向は、搬送方向Ａに垂直な方向である。
【００２８】
図１８（Ａ）〜（Ｅ）の画像位置のずれに関して、イエローの画像位置を基準にして、マゼンタ、シアン、及びブラックの画像位置を調整する。
【００２９】
図１８（Ａ）に示す上下マージンずれ及び図１８（Ｂ）に示す左右マージンずれに関しては、感光ドラム１０への光ビームの書き込みタイミングを必要量だけ変化させて画像位置を調整する。
【００３０】
図１８（Ｄ）に示す倍率ずれに関しては、光ビームを変調する変調周波数を所定量だけ変化させて画像倍率を補正して画像位置を調整する。
【００３１】
図１８（Ｃ）に示す走査線傾きずれと図１８（Ｅ）に示す走査線曲がりに関しては、光走査装置１００内に配置されている反射ミラーやレンズ等の光学素子を調整することにより又は画像データを補正することにより、画像位置を調整する。
【００３２】
（光走査装置）
以下、光走査装置１００を説明する。
図２は、実施例１の光走査装置１００を示す斜視図である。光走査装置１００は、光学箱（以下、筐体という。）７１と、筐体７１を密閉するカバー（不図示）とを有する。図２において、筐体７１の内部を見やすくするために、カバーを省略し、筐体７１の一部が切り欠かれている。
【００３３】
光走査装置１００は、回転多面鏡１１、同期検出部４１、結像レンズ４２、光源装置６０、ｆθレンズ３１及び３２（３２Ｙ、３２Ｍ、３２Ｃ、３２Ｋ）、及び反射ミラー５１〜５７を有する。筐体７１は、回転多面鏡１１、同期検出部４１、結像レンズ４２、光源装置６０、ｆθレンズ３１及び３２、及び反射ミラー５１〜５７を収納している。
【００３４】
回転多面鏡１１を回転させるモータ１２及び駆動回路１３が設けられた駆動基板１４は、固定部材（不図示）により筐体７１の底部に固定されている。
同期検出部４１及び結像レンズ４２は、筐体７１に設けられた支持部材（不図示）により支持されている。
ｆθレンズ３１及び３２、及び反射ミラー５１〜５７は、筐体７１に設けられた支持部材（不図示）により支持されている。
光源装置６０は、筐体７１の側壁に固定されている。複数の半導体レーザ（以下、光源という。）２１（２１Ｙ、２１Ｍ、２１Ｃ、２１Ｋ）は、光源装置６０に固定されている。
【００３５】
図３は、光走査装置１００内の光学素子を示す平面図である。説明のために、図３においては反射ミラー５１〜５７を省略し、光走査装置１００内の光学素子を主走査方向に展開している。
回転多面鏡１１は、モータ１２に取り付けられている。モータ駆動回路１３は、モータ１２を駆動する。モータ１２及びモータ駆動回路１３は、駆動基板１４に設けられている。図３に示すように、回転多面鏡１１は、モータ（駆動装置）１２により図３の矢印Ｒで示す方向（時計回り）に回転軸１１ａを中心に回転する。
【００３６】
複数の光源２１（２１Ｙ、２１Ｍ、２１Ｃ、２１Ｋ）は、複数のレーザ光（以下、光ビームという。）Ｌ（ＬＹ、ＬＭ、ＬＣ、ＬＫ）をそれぞれ出射する。複数の光ビームＬは、単一の回転多面鏡１１により偏向される。複数の光ビームＬは、回転多面鏡１１の同じの反射面（偏向面）に入射する。複数の光ビームＬは、同時に同じ反射面により偏向され、複数の感光ドラム１０を主走査方向に走査する。
【００３７】
ここで、主走査方向は、回転多面鏡１１の回転軸１１ａに垂直で、且つ、光軸に垂直な方向である。光源２１から回転多面鏡１１までの入射光学系の光軸の方向は、回転多面鏡１１から感光ドラム１０までの結像光学系の光軸の方向と異なる。副走査方向は、回転多面鏡１１の回転軸１１ａに平行で、且つ、光軸に垂直な方向である。副走査方向は、主走査方向に対して垂直である。主走査断面は、光軸を含み主走査方向に平行な平面で切断した断面である。副走査断面は、光軸を含み副走査方向に平行な平面で切断した断面である。
【００３８】
光ビームＬＹ及びＬＣを出射する光源２１Ｙ及び２１Ｃは、主走査方向において同じ位置に配置されている。同様に、光ビームＬＭ及びＬＫを出射する光源２１Ｍ及び２１Ｋは、主走査方向において同じ位置に配置されている。主走査方向における光源２１Ｍ及び２１Ｋの位置は、回転多面鏡１１の回転方向Ｒにおいて光源２１Ｙ及び２１Ｃの位置の下流側である。すなわち、光源２１Ｍ及び２１Ｋは、主走査方向において光源２１Ｙ及び２１Ｃの下流側に配置されている。光源２１Ｙ及び２１Ｃの光軸（光ビームＬＹ及びＬＣ）と光源２１Ｍ及び２１Ｋの光軸（光ビームＬＭ及びＬＫ）とは、主走査方向において所定の角度θをなす。本実施例において、所定の角度θは、１０°である。
【００３９】
アナモフィックコリメータレンズ（第一結像光学素子）２２（２２Ｙ、２２Ｍ、２２Ｃ、２２Ｋ）は、光源２１の射出側に配置されている。アナモフィックコリメータレンズ２２Ｙ及び２２Ｃは、主走査方向において同じ位置に配置され、光源２１Ｙ及び２１Ｃのそれぞれの光軸上に配置されている。アナモフィックコリメータレンズ２２Ｍ及び２２Ｋは、主走査方向において同じ位置に配置され、光源２１Ｍ及び２１Ｋのそれぞれの光軸上に配置されている。アナモフィックコリメータレンズ２２Ｙ、２２Ｍ、２２Ｃ、２２Ｋは、光源２１Ｙ、２１Ｍ、２１Ｃ、２１Ｋから出射された光ビームＬＹ、ＬＭ、ＬＣ、ＬＫを回転多面鏡１１の反射面上にそれぞれ結像させる。アナモフィックコリメータレンズ２２は、光ビームＬを平行光にするコリメータレンズの機能と、光ビームＬを主走査方向のみに集光させるシリンドリカルレンズの機能とを有するレンズである。アナモフィックコリメータレンズ２２を通った光ビームＬは、副走査方向に細長い光スポットとして回転多面鏡１１の反射面上に結像する。
【００４０】
回転多面鏡１１の射出側で回転多面鏡１１と感光ドラム１０との間には、一つのｆθレンズ３１と４つのｆθレンズ３２（３２Ｙ、３２Ｍ、３２Ｃ、３２Ｋ）が配置されている。一つのｆθレンズ３１は、４つの光ビームＬを透過させる。４つのｆθレンズ３２Ｙ、３２Ｍ、３２Ｃ、３２Ｋは、４つの光ビームＬＹ、ＬＭ、ＬＣ、ＬＫをそれぞれ透過させる。ｆθレンズ３１及びｆθレンズ３２（３２Ｙ、３２Ｍ、３２Ｃ、３２Ｋ）は、回転多面鏡１１によって偏向された光ビームＬを、感光ドラム１０の表面（被走査面）を等速で走査する光スポットとして感光ドラム１０の上に結像させる。
【００４１】
同期検出部４１及び結像レンズ４２は、光ビームＬの移動方向である主走査方向の上流側（以下、走査開始側という。）に配置されている。同期検出部４１は、受光素子（フォトダイオード）と、受光素子の受光面の近傍に設けられたスリットとを有する。回転多面鏡１１により偏向された光ビームＬのうち、走査開始側の光ビームＬＳは、結像レンズ４２に入射する。結像レンズ４２は、光ビームＬＳを主走査方向に集束して副走査方向に長い楕円形状の光スポットとして同期検出部４１の受光面に結像する。同期検出部４１は、光ビームＬＳの検出に基づいて、一走査中の画像信号に従って変調された光ビームＬの出射タイミング（主走査方向における静電潜像の書き出し開始タイミング）を制御するための信号（以下、同期信号という。）を生成する。すなわち、同期検出部４１は、光ビームＬＳの入射に応じて同期信号を出力する水平同期検知センサとして機能する。同期検出部４１の同期信号に基づいて制御された主走査方向の書き出し開始タイミングに同期して、光源２１は、画像信号に従って変調された光ビームＬを出射する。
【００４２】
図４は、回転多面鏡（偏向部材）１１により偏向された光ビームＬ（ＬＹ、ＬＭ、ＬＣ、ＬＫ）を示す図である。図４に示すように、回転多面鏡１１によって偏向された光ビームＬＹ、ＬＭ、ＬＣ、ＬＫは、光学的基準面ＲＰ（図４）に対して副走査方向にそれぞれ−α、−β、＋β、＋αの角度を有する。本実施例において、αは４．５°、βは１．５°である。光学的基準面ＲＰは、回転多面鏡１１の反射面の中心を通り、回転多面鏡１１の回転軸１１ａに垂直な平面である。
【００４３】
図５は、図２のＶ−Ｖ線に沿って取った光走査装置１００の断面図である。図５は、光走査装置１００の副走査断面を示している。
【００４４】
図５に示すように、４つの光ビームＬＹ、ＬＭ、ＬＣ、ＬＫは、ｆθレンズ３１を通過する。光ビームＬＹは、反射ミラー５１及び５２によって反射され、ｆθレンズ３２Ｙを通過して感光ドラム１０Ｙ上に結像する。光ビームＬＭは、反射ミラー５３及び５４によって反射され、ｆθレンズ３２Ｍを通過して感光ドラム１０Ｍ上に結像する。光ビームＬＣは、反射ミラー５５及び５６によって反射され、ｆθレンズ３２Ｃを通過して感光ドラム１０Ｃ上に結像する。光ビームＬＫは、反射ミラー５７によって反射され、ｆθレンズ３２Ｋを通過して感光ドラム１０Ｋ上に結像する。
【００４５】
（光源装置）
以下、光源装置６０について説明する。図１は、実施例１の光源装置６０を示す正面図である。光源装置６０は、複数の光源ユニット６（６Ｙ、６Ｍ、６Ｃ、６Ｋ）と、複数の光源ユニット６を保持するレーザホルダ（光源保持部材）６２とを有する。
【００４６】
筐体７１には、開口部７１ｃが設けられている。開口部７１ｃには、複数の光源ユニット６が固定される。本実施例においては、複数の光源ユニット６は、レーザホルダ６２を介して開口部７１ｃに固定される。複数の光源ユニット６は、レーザホルダ６２の開口部６２ａに固定される。
【００４７】
レーザホルダ６２は、図１に示すように１つの開口部６２ａが設けられている。開口部６２ａは、実質的に、二つの略矩形状の開口部を段違いに接続した形状を有する。開口部６２ａは、４つの光源ユニット６の向きを規定する規定部としての壁面（当接部）６２ｃ、６２ｄ、６２ｅ、６２ｆ、６２ｇ、６２ｈを備えている。
【００４８】
図１に示すように、４つの光源ユニット６は、光軸方向に見たときに平行四辺形の４つの頂点にそれぞれ配置されている。
【００４９】
レーザホルダ６２は、４つの光源ユニット６の中心Ｏから主走査方向にほぼ同一の距離Ｌ１の位置から外側へ距離Ｌ２だけ延在する固定部６２ｂを有する。４つの光源ユニット６の中心Ｏは、レーザホルダ６２の中心（以下、中心Ｏという。）と一致しているとよい。
【００５０】
開口部６２ａは、二つの固定部６２ｂの間に設けられている。開口部６２ａは、レーザホルダ６２の中心Ｏに対して点対称の形状を有するとよい。また、レーザホルダ６２の外形は、レーザホルダ６２の中心Ｏに対して点対称の形状であるとよい。
【００５１】
筐体７１に当接する固定部６２ｂの二つの当接面６２ｂＡ（図７（ａ））は、同一平面上に形成されている。また、固定部６２ｂには、筐体７１に対してレーザホルダ６２を位置決めする嵌合孔６２ｍおよび貫通孔６２ｎが設けられている。
【００５２】
図２に示すように、突起部７１ａを設けたレーザホルダ当接面７１Ａは、光学的基準面ＲＰに対して垂直に形成されている。光源装置６０は、筐体７１の側壁に設けられた開口部７１ｃに挿入される。光源装置６０は、レーザホルダ６２の固定部６２ｂの当接面６２ｂＡを筐体７１の当接面７１Ａに当接して、筐体７１に取り付けられる。これによって、レーザホルダ６２の当接面６２ｂＡが光学的基準面ＲＰに対して垂直になる。
【００５３】
筐体７１に設けられた突起部７１ａにレーザホルダ６２の嵌合孔６２ｍが嵌合して、レーザホルダ６２は、筐体７１に対して位置決めされる。ネジ８１は、光源装置６０の貫通孔６２ｎを通って筐体７１のネジ孔７１ｂに係合する。レーザホルダ６２は、ネジ８１により筐体７１に固定される。
【００５４】
図６は、光源ユニット６を示す斜視図である。複数の光源ユニット６（６Ｙ、６Ｍ、６Ｃ、６Ｋ）は、同様の構造を有するので、以下、光源ユニット６Ｙについて説明し、光源ユニット６Ｍ、６Ｃ、６Ｋの説明を省略する。
【００５５】
光源ユニット６Ｙは、光源２１Ｙと、光源２１Ｙを保持する筒状の保持部材（以下、鏡筒という。）６１Ｙを有する。本実施例において、鏡筒６１Ｙは、中空円筒体である。
【００５６】
光源２１Ｙは、鏡筒６１Ｙの一端部に保持される。鏡筒６１Ｙは、光源２１Ｙの外周部２１Ｙａの外径と略同じ内径の内周部６１Ｙａを有する。光源２１Ｙは、鏡筒６１Ｙの一端部から内周部６１Ｙａに挿入される。鏡筒６１Ｙの内周部６１Ｙａの内径が光源２１Ｙの外周部２１Ｙａの外径よりわずかに大きい場合、光源２１Ｙを接着剤によって鏡筒６１Ｙに固定する。あるいは、鏡筒６１Ｙの内周部６１Ｙａの内径が光源２１Ｙの外周部２１Ｙａの外径よりわずかに小さいか等しい場合、光源２１Ｙの外周部２１Ｙａを鏡筒６１Ｙの内周部６１Ｙａに圧入し光源２１を鏡筒６１Ｙに固定してもよい。
【００５７】
鏡筒６１Ｙは、内周部６１Ｙａと同心円状に形成された外周部６１Ｙｂを有する。
光源２１Ｙが挿入される一端部と反対の鏡筒６１Ｙの他端部には、アナモフィックコリメータレンズ２２Ｙが接着剤で固定される一対の突起部６１Ｙｃが設けられている。一対の突起部６１Ｙｃの間の間隔は、アナモフィックコリメータレンズ２２Ｙの調整代を見込み、アナモフィックコリメータレンズ２２Ｙの直径より大きい。
【００５８】
図７は、実施例１の光源装置６０を示す図である。図７（ａ）は、実施例１の光源装置６０を示す平面図である。図７（ｂ）は、実施例１の光源装置６０を示す側面図である。
【００５９】
図８は、実施例１の光源装置を示す断面図である。図８（ａ）は、図７（ａ）のVIIIＡ−VIIIＡ線に沿って取った光源装置６０の断面図である。図８（ａ）に示すように、光源２１Ｙが固定された光源ユニット６Ｙの外周部６１Ｙｂは、開口部６２ａの壁面６２ｅに当接する。壁面６２ｅは、光学的基準面ＲＰに対して＋αの角度で傾斜している。光源２１Ｃが固定された光源ユニット６Ｃの外周部６１Ｃｂは、開口部６２ａの壁面６２ｇに当接する。壁面６２ｇは、光学的基準面ＲＰに対して−βの角度で傾斜している。
【００６０】
図８（ｂ）は、図７（ａ）のVIIIＢ−VIIIＢ線に沿って取った光源装置６０の断面図である。図８（ｂ）に示すように、光源２１Ｍが固定された光源ユニット６Ｍの外周部６１Ｍｂは、開口部６２ａの壁面６２ｆに当接する。壁面６２ｆは、光学的基準面ＲＰに対して＋βの角度で傾斜している。光源２１Ｋが固定された光源ユニット６Ｋの外周部６１Ｋｂは、開口部６２ａの壁面６２ｈに当接する。壁面６２ｈは、光学的基準面ＲＰに対して−αの角度で傾斜している。
【００６１】
光源ユニット６Ｙ、６Ｃ、６Ｍ、６Ｋは、光ビームＬＹ、ＬＣ、ＬＭ、ＬＫの射出側でそれぞれストッパ部材（不図示）によりレーザホルダ６２に対して位置決めされている。
【００６２】
図８（ｃ）は、図１のVIIIＣ−VIIIＣ線に沿って取った光源装置６０の断面図である。
【００６３】
図８（ａ）に示したように光源ユニット６Ｃの外周部６１Ｃｂを壁面６２ｇに当接させる工程において、同時に、図８（ｃ）に示すように光源ユニット６Ｃの外周部６１Ｃｂを開口部６２ａの壁面（第一壁面）６２ｃに当接させる。光源ユニット６Ｃは、壁面６２ｇ及び壁面６２ｃに当接して位置決めされる。その後、接着剤を外周部６１Ｃｂと壁面６２ｃの間に塗布して、接着剤を外周部６１Ｃｂと壁面６２ｃの間に浸透させる。接着剤は、外周部６１Ｃｂと壁面６２ｃの間に全体的に又は部分的に浸透すればよい。また、光源ユニット６Ｃを壁面６２ｇ及び６２ｃに当接する前に、あらかじめ接着剤を光源ユニット６Ｃの外周部６１Ｃｂ又はレーザホルダ６２の壁面６２ｃに塗布してもよい。光源ユニット６Ｃが壁面６２ｃに接着剤で固定される固定部６３Ｃは、副走査方向において光源２１Ｃとほぼ同じ位置である（図１）。
【００６４】
同様に、図８（ｂ）に示したように光源ユニット６Ｋの外周部６１Ｋｂを壁面６２ｈに当接させる工程において、同時に、図８（ｃ）に示すように光源ユニット６Ｋの外周部６１Ｋｂを開口部６２ａの壁面（第二壁面）６２ｄに当接させる。光源ユニット６Ｋは、壁面６２ｈ及び壁面６２ｄに当接して位置決めされる。その後、接着剤を外周部６１Ｋｂと壁面６２ｄの間に塗布して、接着剤を外周部６１Ｋｂと壁面６２ｄの間に浸透させる。接着剤は、外周部６１Ｋｂと壁面６２ｄの間に全体的に又は部分的に浸透すればよい。同様に、接着剤をあらかじめ外周部６１Ｋｂ又は壁面６２ｄに塗布してもよい。光源ユニット６Ｋが壁面６２ｄに接着剤で固定される固定部６３Ｋは、副走査方向において光源２１Ｋとほぼ同じ位置である（図１）。
【００６５】
図８（ｃ）に示すように、壁面６２ｃと壁面６２ｄは、主走査方向（主走査断面内）において角度θをなす。副走査方向（副走査断面内）において回転多面鏡１１の反射面への入射角度が小さい光ビームＬＣ及びＬＫを出射する光源ユニット６Ｃ及び６Ｋは、主走査方向（主走査断面内）において異なる角度で回転多面鏡１１の反射面へ入射する。
【００６６】
上記と同様にして、光源ユニット６Ｙ及び６Ｍは、レーザホルダ６２の壁面６２ｃ及び壁面６２ｄに接着剤で固定される。光源ユニット６Ｙが壁面６２ｃに接着剤で固定される固定部６３Ｙは、副走査方向において光源２１Ｙとほぼ同じ位置である（図１）。光源ユニット６Ｍが壁面６２ｄに接着剤で固定される固定部６３Ｍは、副走査方向において光源２１Ｍとほぼ同じ位置である（図１）。副走査方向（副走査断面内）において回転多面鏡１１の反射面への入射角度が大きい光ビームＬＹ及びＬＭを出射する光源ユニット６Ｙ及び６Ｍは、主走査方向（主走査断面内）において異なる角度で回転多面鏡１１の反射面へ入射する。
【００６７】
光源ユニット６Ｙ及び６Ｃ（第一の複数の光源ユニット）は、主走査方向における一方側（壁面６２ｃ）で開口部６２ａに固定される。光源ユニット６Ｙ及び６Ｃは、壁面６２ｃにより規定され、主走査方向において同じ位置に且つ主走査方向に対して同じ角度でレーザホルダ６２に固定される。
【００６８】
光源ユニット６Ｍ及び６Ｋ（第二の複数の光源ユニット）は、主走査方向における他方側（壁面６２ｄ）で開口部６２ａに固定される。光源ユニット６Ｍ及び６Ｋは、壁面６２ｄにより規定され、主走査方向において同じ位置に且つ主走査方向に対して同じ角度でレーザホルダ６２に固定される。
【００６９】
レーザホルダ６２の開口部６２ａの副走査方向に延在する壁面６２ｃ及び６２ｄは、光走査装置１００の温度変化により変形しにくい。さらに、レーザホルダ６２が熱により変形しても、壁面６２ｃ及び６２ｄは、主走査方向にわずかに移動するだけである。したがって、壁面６２ｃに固定された光源ユニット６Ｙ及び６Ｃから出射される二つの光ビームＬＹとＬＣは、互いに主走査方向にほとんどずれることなく走査される。また、壁面６２ｄに固定された光源ユニット６Ｍ及び６Ｋから出射される二つの光ビームＬＭとＬＫは、互いに主走査方向にほとんどずれることなく走査される。その結果、画像の主走査方向の色ずれは、防止される。
【００７０】
次に、アナモフィックコリメータレンズ２２の光源ユニット６への取り付けを説明する。鏡筒６１をレーザホルダ６２に接着剤で固定した後に、アナモフィックコリメータレンズ２２を鏡筒６１に取り付ける。以下に、アナモフィックコリメータレンズ２２Ｙの鏡筒６１Ｙへの取り付けを説明する。アナモフィックコリメータレンズ２２Ｍ、２２Ｃ、２２Ｋの鏡筒６１Ｍ、６１Ｃ、６１Ｋへの取り付けは、同様であるので説明を省略する。
【００７１】
図９は、実施例１の光源装置６０を示す斜視図である。図９に示すように、アナモフィックコリメータレンズ２２Ｙは、調整工具（不図示）により光源ユニット６Ｙに対して位置が調整される。アナモフィックコリメータレンズ２２Ｙは、光ビームＬＹが出射される光軸方向に位置が調整されて、光ビームＬＹのピントが調整される。また、アナモフィックコリメータレンズ２２Ｙは、光軸に垂直な平面内で位置が調整され、回転多面鏡１１の反射面上の光ビームＬＹの位置が調整される。
【００７２】
光源ユニット６Ｙに対するアナモフィックコリメータレンズ２２Ｙの位置が調整された後に、アナモフィックコリメータレンズ２２Ｙは、鏡筒６１Ｙの複数の突起部６１Ｙｃに接着剤により固定される。
【００７３】
本実施例においては、光ビームＬを回転多面鏡１１の反射面上に結像させる第一結像光学素子としてアナモフィックコリメータレンズ２２を使用した。しかし、アナモフィックコリメータレンズ２２の代わりに、コリメータレンズ及びシリンドリカルレンズを使用してもよい。その場合、コリメータレンズを光源ユニット６に固定してもよい。
【００７４】
（主走査方向における静電潜像の書き出し開始タイミングの調整）
図１０は、同期信号と光ビームＬを示すタイムチャートである。図１１は、光ビームＬの出射を制御する制御システム４０のブロック図である。図１０及び図１１を参照して、主走査方向における静電潜像の書き出し開始タイミングの調整を説明する。
【００７５】
光源２１は、光源装置６０に取り付けられた光源駆動回路４３により制御されて光ビームＬを出射する。
【００７６】
同期検出部４１は、光源２１Ｙから出射され回転多面鏡１１により偏向される光ビームＬＹのうちの走査開始側の光ビームＬＳ（図３）を検出して同期信号ＢＤを出力する。
具体的には、光源駆動回路（制御部）４３は、光ビームＬＳが同期検出部４１のスリットを通過する直前のタイミングで、光源２１Ｙを点灯して光ビームＬＳを出射する（図１０）。スリットを通過した光ビームＬＳが同期検出部４１の受光素子により検出されると、同期検出部４１は、同期信号ＢＤを光源駆動回路４３へ出力する。同期検出部４１が同期信号ＢＤを出力した後、光源駆動回路４３は、光源２１Ｙを一旦消灯する。
【００７７】
同期信号ＢＤの立ち上がりから時間ｔ１が経過したときに、光源駆動回路４３は、光源２１Ｙ及び２１Ｃを点灯し、画像信号に従って変調された光ビームＬＹ及びＬＣを光源２１Ｙ及び２１Ｃから射出させる。時間ｔ１は、光ビームＬＹ及びＬＣが感光ドラム１０Ｙ及び１０Ｃの表面上の主走査方向の所定の位置で静電潜像を書き始めるように設定される。
【００７８】
一方、光源２１Ｍ及び２１Ｋの光軸は、光源２１Ｙ及び２１Ｃの光軸に対して主走査方向に角度θだけ傾いているので、光源２１Ｍ及び２１Ｋは、角度θに対応する時間分だけ、光源２１Ｙ及び２１Ｃよりも遅く点灯される。すなわち、同期信号ＢＤの立ち上がりから時間ｔ２が経過したときに、光源駆動回路４３は、光源２１Ｍ及び２１Ｋを点灯し、画像信号に従って変調された光ビームＬＭ及びＬＫを光源２１Ｍ及び２１Ｋから射出させる。時間ｔ２は、時間ｔ１よりも角度θに対応する時間分だけ大きい。時間ｔ２は、光ビームＬＭ及びＬＫが感光ドラム１０Ｍ及び１０Ｋの表面上の主走査方向の所定の位置で静電潜像を書き始めるように設定される。
【００７９】
これによって、４つの感光ドラム１０の表面に形成される静電潜像の書き出し位置が一致するので、色ずれ無しに４色のトナー像を中間転写ベルト３１０の上に重ね合わせることができる。
【００８０】
ところで、画像形成装置１の小型化に伴って光走査装置１００を薄型化する場合、レーザホルダ６２の高さ（副走査方向の長さ）ＬＨ（図１）を小さくする必要がある。レーザホルダ６２の高さＬＨを小さくすると、開口部６２ａの周辺部分６２ｊ及び６２ｋの副走査方向の長さ６２ｊＬ及び６２ｋＬが小さくなる。その場合、温度変化により、レーザホルダ６２には、図７（ａ）の矢印Ｗで示す方向の反りが発生しやすくなる。
【００８１】
レーザホルダ６２に反りが発生すると、主走査方向において光ビームＬＹ（ＬＣ）とＬＭ（ＬＫ）のなす角度がθからθ＋Δθ（Δθ＞０）へ変化する。光ビームＬＹ（ＬＣ）とＬＭ（ＬＫ）のなす角度がΔθ変化した場合、角度変化量Δθに相当する書き出し位置ずれが生じる。この書き出し位置ずれにより、重ね合わせたフルカラー画像にいわゆる色ずれが発生する。色ずれは、短い時間間隔でオートレジストレーションを繰り返すことにより軽減できるが、オートレジストレーションを繰り返す間はプリントができない。
【００８２】
この問題を解決するために、本実施例においては、複数の光源２１からの複数の光ビームＬに基づいて複数の同期信号を用いてもよい。図１２は、二つの同期信号ＢＤＹ、ＢＤＭと光ビームＬを示すタイムチャートである。まず、図１２（ａ）及び図１１を参照して、主走査方向における静電潜像の書き出し開始タイミングの調整を説明する。
【００８３】
光源駆動回路４３は、光源２１Ｙから出射され回転多面鏡１１により偏向される光ビームＬＹのうちの走査開始側の光ビームＬＳが同期検出部４１のスリットを通過する直前のタイミングで、光源２１Ｙを点灯して光ビームＬＳＹを出射する（図１２（ａ））。スリットを通過した光ビームＬＳＹが同期検出部４１の受光素子により検出されると、同期検出部４１は、同期信号（第一同期信号）ＢＤＹを光源駆動回路４３へ出力する。同期検出部４１が同期信号ＢＤＹを出力した後、光源駆動回路４３は、光源２１Ｙを一旦消灯する。
【００８４】
光源駆動回路４３は、光源２１Ｍから出射され回転多面鏡１１により偏向される光ビームＬＫのうちの走査開始側の光ビームＬＳＭが同期検出部４１のスリットを通過する直前のタイミングで、光源２１Ｍを点灯して光ビームＬＳＭを出射する（図１２（ａ））。スリットを通過した光ビームＬＳＭが同期検出部４１の受光素子により検出されると、同期検出部４１は、同期信号（第二同期信号）ＢＤＭを光源駆動回路４３へ出力する。同期検出部４１が同期信号ＢＤＭを出力した後、光源駆動回路４３は、光源２１Ｍを一旦消灯する。
【００８５】
同期信号ＢＤＹの立ち上がりから時間ｔ１が経過したときに、光源駆動回路４３は、光源２１Ｙ及び２１Ｃを点灯し、画像信号に従って変調された光ビームＬＹ及びＬＣを光源２１Ｙ及び２１Ｃから射出させる。時間ｔ１は、光ビームＬＹ及びＬＣが感光ドラム１０Ｙ及び１０Ｃの表面上の主走査方向の所定の位置で静電潜像を書き始めるように設定される。
【００８６】
同様に、同期信号ＢＤＭの立ち上がりから時間ｔ１が経過したときに、光源駆動回路４３は、光源２１Ｍ及び２１Ｋを点灯し、画像信号に従って変調された光ビームＬＭ及びＬＫを光源２１Ｍ及び２１Ｋから射出させる。時間ｔ１は、光ビームＬＭ及びＬＫが感光ドラム１０Ｍ及び１０Ｋの表面上の主走査方向の所定の位置で静電潜像を書き始めるように設定される。
【００８７】
温度変化によりレーザホルダ６２に図７（ａ）の矢印Ｗで示す方向の反りが発生すると、光ビームＬＹ（ＬＣ）と光ビームＬＭ（ＬＫ）との間の角度がθからθ＋Δθへ変化する。図１０に示すように一つの同期信号ＢＤに基づいて光ビームＬＭ（ＬＫ）の書き出しタイミングを求めると、角度変化量Δθに相当する書き出し位置ずれが生じる。しかし、図１２（ａ）に示すように二つの同期信号ＢＤＹ及びＢＤＭに基づいて光ビームＬＹ（ＬＣ）と光ビームＬＭ（ＬＫ）のそれぞれの書き出しタイミングを求めると、書き出し位置ずれは生じない。同期信号ＢＤＹの立ち上がりと同期信号ＢＤＭの立ち上がりとの間の時間は、ｔからｔ＋Δｔへ変化する。すなわち、角度変化量Δθに応じて、光ビームＬＹ（ＬＣ）の出射開始時間と光ビームＬＭ（ＬＫ）の出射開示時間との間の時間間隔がｔからｔ＋Δｔへ変化する。その結果、重ね合わせたフルカラー画像に色ずれは発生しない。
【００８８】
ここで、同期信号を検出するための光ビームは、光ビームＬＹの代わりに光ビームＬＣを用いてもよいし、光ビームＬＭの代わりに光ビームＬＫを用いてもよい。
【００８９】
ところで、同期検出部４１の光学構成は、走査光学系（ｆθレンズ３１、３２、反射ミラー５１〜５７）の光学構成と異なる。従って、同期信号ＢＤＹと同期信号ＢＤＭとの間の時間変化量Δｔをそのまま光ビームＬＹ（ＬＣ）と光ビームＬＭ（ＬＫ）との間の出射開示時間の変化量と仮定すると、色ずれを発生することがある。そのような場合には、時間変化量Δｔに補正係数Ｋを乗じた変化量分ＫΔｔだけ光ビームＬＹ（ＬＣ）と光ビームＬＭ（ＬＫ）との間の出射開示時間の間隔を補正する。
【００９０】
次に、図１２（ｂ）を参照して、この補正を説明する。
図１２（ｂ）に示すように、同期信号ＢＤＹの立ち上がりから時間ｔ１が経過したときに、光源駆動回路４３は、光源２１Ｙ及び２１Ｃを点灯し、画像信号に従って変調された光ビームＬＹ及びＬＣを光源２１Ｙ及び２１Ｃから射出させる。時間ｔ１は、光ビームＬＹ及びＬＣが感光ドラム１０Ｙ及び１０Ｃの表面上の主走査方向の所定の位置で静電潜像を書き始めるように設定される。
【００９１】
一方、図１２（ｂ）に示すように、同期信号ＢＤＹの立ち上がりから時間ｔ２が経過したときに、光源駆動回路４３は、光源２１Ｍ及び２１Ｋを点灯し、画像信号に従って変調された光ビームＬＭ及びＬＫを光源２１Ｍ及び２１Ｋから射出させる。時間ｔ２は、時間ｔ１よりも角度θに対応する時間分だけ大きい。時間ｔ２は、光ビームＬＭ及びＬＫが感光ドラム１０Ｍ及び１０Ｋの表面上の主走査方向の所定の位置で静電潜像を書き始めるように設定される。
【００９２】
光源駆動回路４３は、同期信号ＢＤＹの立ち上がりから同期信号ＢＤＭの立ち上がりまでの時間を計数して、同期信号ＢＤＹと同期信号ＢＤＭｔとの間の時間変化量Δｔを求める。光源駆動回路４３は、時間変化量Δｔに補正係数Ｋを乗じた変化量分ＫΔｔを求める。そして、光源駆動回路４３は、光源２１Ｍ及び２１Ｋを点灯するための時間をｔ２からｔ２＋ＫΔｔへ補正する。これによって、同期検出部４１と走査光学系の光学構成が異なる場合であっても、色ずれを軽減することができる。
【００９３】
本実施例によれば、レーザホルダ６２が変形しても、主走査方向における色ずれを軽減することができる。
【００９４】
本実施例において、開口部６２ａは、図１に示すように１つの開口としてレーザホルダ６２に形成した。しかし、レーザホルダ６２の成型時の変形を低減するために、開口部を複数に分割してもよい。以下に、本実施例の変形例を説明する。
【００９５】
（第一変形例）
図１３は、実施例１の第一変形例による光源装置１６０を示す正面図である。レーザホルダ１６２の成型時の変形を低減するために、図１３に示すように、開口部を二つに分割している。
【００９６】
光源ユニット１０６Ｙ、１０６Ｍ、１０６Ｃ、１０６Ｋを保持するレーザホルダ１６２は、二つの開口部１６２ａ１及び１６２ａ２が設けられている。光源ユニット１０６Ｙ及び１０６Ｃは、開口部１６２ａ１の壁面１６２ｃに当接して、主走査方向において同じ位置に配置される。光源ユニット１０６Ｍ及び１０６Ｋは、開口部１６２ａ２の壁面１６２ｄに当接して、主走査方向において同じ位置に配置される。
壁面１６２ｃ、１６２ｄ、１６２ｅ、１６２ｆ、１６２ｇ、及び１６２ｈは、図８に示す壁面６２ｃ、６２ｄ、６２ｅ、６２ｆ、６２ｇ、及び６２ｈと同様に傾斜している。
【００９７】
（第二変形例）
図１４は、実施例１の第二変形例による光源装置２６０を示す正面図である。レーザホルダ２６２の成型時の変形を低減するために、図１４に示すように、開口部を四つに分割している。
【００９８】
光源ユニット２０６Ｙ、２０６Ｍ、２０６Ｃ、２０６Ｋを保持するレーザホルダ２６２は、四つの開口部２６２ａ１、２６２ａ２、２６２ａ３、及び２６２ａ４が設けられている。光源ユニット２０６Ｙ及び２０６Ｃは、開口部２６２ａ１の壁面２６２ｃ１及び開口部２６２ａ３の壁面２６２ｃ２にそれぞれ当接し、主走査方向において同じ位置に配置される。光源ユニット２０６Ｍ及び２０６Ｋは、開口部２６２ａ２の壁面２６２ｄ１及び開口部２６２ａ４の壁面２６２ｄ２にそれぞれ当接して、主走査方向において同じ位置に配置される。
【００９９】
壁面２６２ｃ１及び２６２ｃ２は、図８（ｃ）に示す壁面６２ｃと同様に傾斜している。壁面２６２ｄ１及び２６２ｄ２は、図８（ｃ）に示す壁面６２ｄと同様に傾斜している。壁面２６２ｅ、２６２ｆ、２６２ｇ、及び２６２ｈは、図８（ａ）及び図８（ｂ）に示す壁面６２ｅ、６２ｆ、６２ｇ、及び６２ｈと同様に傾斜している。
【０１００】
第二変形例において、壁面２６２ｃ１及び２６２ｃ２は、主走査方向において同じ位置に配置される。また、壁面２６２ｄ１及び２６２ｄ２は、主走査方向において同じ位置に配置されている。しかし、温度変化によるレーザホルダ２６２の変形が静電潜像の書き始めタイミングに影響を与えない範囲において、壁面２６２ｃ１と壁面２６２ｃ２を主走査方向にずらして配置してもよい。同様に、壁面２６２ｄ１と壁面２６２ｄ２を主走査方向にずらして配置してもよい。この場合、壁面２６２ｃ１（２６２ｄ１）の傾斜角度と壁面２６２ｃ２（２６２ｄ２）の傾斜角度が同じであると、回転多面鏡１１の上の光ビームＬＹ（ＬＭ）とＬＣ（ＬＫ）の結像位置が主走査方向にずれる。従って、壁面２６２ｃ１（２６２ｄ１）又は壁面２６２ｃ２（２６２ｄ２）の角度を、主走査方向における壁面２６２ｃ１（２６２ｄ１）と壁面２６２ｃ２（２６２ｄ２）のずれに応じて調整し、主走査方向において結像位置を一致させる。
【０１０１】
（第三変形例）
実施例１において、光源ユニット６は、レーザホルダ６２に接着剤により固定した。しかし、光源ユニット６は、他の固定手段によりレーザホルダ６２に固定してもよい。図１５は、実施例１の第三変形例による光源装置３６０を示す図である。以下、図１５を参照して、バネ（弾性部材）６４により光源ユニット２０６（２０６Ｙ、２０６Ｍ、２０６Ｃ、２０６Ｋ）をレーザホルダ２６２に固定する第三変形例を説明する。
【０１０２】
図１５（ａ）は、実施例１の第三変形例による光源装置３６０を示す正面図である。図１５（ｂ）は、実施例１の第三変形例による光源装置３６０を示す斜視図である。第三変形例において、第二変形例と同様の構成には、同様の参照符号を付して説明を省略する。
【０１０３】
第三変形例の光源ユニット２０６（２０６Ｙ、２０６Ｍ、２０６Ｃ、２０６Ｋ）及びレーザホルダ２６２は、第二変形例の光源ユニット２０６（２０６Ｙ、２０６Ｍ、２０６Ｃ、２０６Ｋ）及びレーザホルダ２６２と同様であるので説明を省略する。
【０１０４】
第三変形例において、レーザホルダ２６２は、第二変形例と同様に四つの開口部２６２ａ１、２６２ａ２、２６２ａ３、及び２６２ａ４が設けられている。第二変形例と異なる点は、第二変形例においては光源ユニット２０６が接着剤によりレーザホルダ２６２に固定されていたのに対して、第三変形例においては光源ユニット２０６がバネ６４によりレーザホルダ２６２に固定されている。
【０１０５】
バネ６４は、レーザホルダ２６２に取り付けられ、放射状に光源ユニット２０６を開口部の壁面に対して付勢している。バネ６４による付勢力により光源ユニット２０６は、レーザホルダ２６２の開口部の壁面に固定される。
【０１０６】
以上に述べたように、本実施例において、複数の光源ユニットは、主走査方向に二組に分割される。それぞれの組の複数の光源ユニットは、主走査方向において同じ位置に且つ主走査方向に対して同じ角度でレーザホルダに固定される。これによって、それぞれの組の複数の光源ユニットから照射される光ビームは、お互いに主走査方向にほとんどずれることなく走査される。
【０１０７】
本実施例による光走査装置１００は、レーザホルダ６２を有しているが、光走査装置１００は、必ずしもレーザホルダ６２を有する必要はない。開口部６２ａが設けられたレーザホルダ６２が挿入される開口部７１ｃの代わりに、筐体７１に光源ユニット６を直接に取り付けるための開口部を設けてもよい。この場合、筐体７１の開口部は、光源ユニット６の向きを規定する規定部としての壁面（当接部）を有する。光源ユニット６を壁面に当接して固定することにより、光源ユニット６から出射される光ビームの向きを規定する。光源ユニット６を筐体７１の開口部に取り付けた後に、アナモフィックコリメータレンズ２２を調整してもよい。
【実施例２】
【０１０８】
実施例１においては、光源装置６０に固定された光源２１に対してアナモフィックコリメータレンズ２２を調整する方法を説明した。実施例２においては、光源装置４６０に固定されたアナモフィックコリメータレンズ４２２に対して光源２１を調整する方法を説明する。
【０１０９】
実施例２において、光源装置４６０を除いた画像形成装置１及び光走査装置１００の構成は、実施例１と同様である。実施例２において、実施例１と同様の構成は、同様の参照符号で示し、説明を省略する。
【０１１０】
以下、実施例２による光源装置４６０を説明する。図１６は、実施例２の光源装置４６０を示す斜視図である。図１６（ａ）は、実施例２の光源装置４６０をアナモフィックコリメータレンズ４２２の側から見た斜視図である。図１６（ｂ）は、実施例２の光源装置４６０を光源２１の側から見た斜視図である。
【０１１１】
光源装置４６０は、複数の光源ユニット４０６（４０６Ｙ、４０６Ｍ、４０６Ｃ、４０６Ｋ）を有する。光源装置４６０は、複数の光源ユニット４０６を保持するレーザホルダ（光源保持部材）４６２と、複数のアナモフィックコリメータレンズ４２２を保持するレンズ保持部材４６５を有する。
【０１１２】
図１６（ｂ）に示すように、光源ユニット４０６Ｋは、鏡筒４６６Ｋ及び光源２１Ｋを有し、光源２１Ｋは、鏡筒４６６Ｋに固定されている。同様に、光源ユニット４０６Ｙは、鏡筒４６６Ｙ及び光源２１Ｙを有し、光源２１Ｙは、鏡筒４６６Ｙに固定されている。光源ユニット４０６Ｍは、鏡筒４６６Ｍ及び光源２１Ｍを有し、光源２１Ｍは、鏡筒４６６Ｍに固定されている。光源ユニット４０６Ｃは、鏡筒４６６Ｃ及び光源２１Ｃを有し、光源２１Ｃは、鏡筒４６６Ｃに固定されている。
【０１１３】
図１６（ｂ）に示すように、レーザホルダ４６２は、１つの開口部４６２ａが設けられている。開口部４６２ａは、実質的に、二つの略矩形状の開口部を段違いに接続した形状を有する。開口部４６２ａは、光源ユニット４０６Ｙ、４０６Ｍ、４０６Ｃ、４０６Ｋの向きを規定する規定部すなわち壁面（当接部）４６２ｃ、４６２ｄ、４６２ｅ、４６２ｆ、４６２ｇ、４６２ｈを備えている。
【０１１４】
また、レーザホルダ４６２は、主走査方向の両側に主走査方向に延在した固定部４６２ｂを有する。２つの固定部４６２ｂの筐体７１への当接面４６２ｂＡは、同一平面上に形成されている。また、固定部４６２ｂには、筐体７１に対してレーザホルダ４６２を位置決めする嵌合孔４６２ｍおよびネジ８１の貫通孔４６２ｎが設けられている。
【０１１５】
光源装置４６０は、レーザホルダ４６２の固定部４６２ｂの当接面４６２ｂＡを筐体７１の当接面７１Ａに当接して、筐体７１に取り付けられる。これによって、レーザホルダ４６２の当接面４６２ｂＡは、光学的基準面ＲＰに対して垂直になる。
【０１１６】
レーザホルダ４６２は、射出側の表面４６２Ｅに複数の突起部４６２Ｐ（４６２Ｐ１、４６２Ｐ２、４６２Ｐ３、４６２Ｐ４）が設けられている。複数の突起部４６２Ｐは、光軸方向に見たときにＬ字形状をしており、射出側の表面４６２Ｅから光軸方向に突出している。
【０１１７】
レンズ保持部材４６５は、四つのアナモフィックコリメータレンズ（第一結像光学素子）４２２（４２２Ｙ、４２２Ｍ、４２２Ｃ、４２２Ｋ）を一体的に保持する。アナモフィックコリメータレンズ４２２Ｙ、４２２Ｍ、４２２Ｃ、４２２Ｋは、光源２１Ｙ、２１Ｍ、２１Ｃ、２１Ｋからの光ビームＬＹ、ＬＭ、ＬＣ、ＬＫを平行光にすると共に主走査方向にのみ集光させる。レンズ保持部材４６５は、四つのアナモフィックコリメータレンズ４２２が一体的に形成された単一の光学素子であってもよい。本実施例において、レンズ保持部材４６５は、矩形状をしている。レンズ保持部材４６５は、レーザホルダ４６２の複数の突起部４６２Ｐに接着剤で固定されている。
【０１１８】
光源装置４６０は、レンズ保持部材４６５を有しているので、鏡筒４６６にアナモフィックコリメータレンズ４２２を保持するための突起部を設ける必要がない。
【０１１９】
本実施例においては、光ビームＬを回転多面鏡１１の反射面上に結像させる第一結像光学素子としてアナモフィックコリメータレンズ４２２を使用した。しかし、アナモフィックコリメータレンズ４２２の代わりに、コリメータレンズ及びシリンドリカルレンズを使用してもよい。その場合、レンズ保持部材４６５は、四つのコリメータレンズを一体的に保持してもよい。
【０１２０】
以下に、光源ユニット４０６Ｋの位置の調整方法を説明する。光源ユニット４０６Ｙ、４０６Ｍ、４０６Ｃの位置の調整方法は、光源ユニット４０６Ｋと同様であるので、説明を省略する。
【０１２１】
アナモフィックコリメータレンズ４２２Ｋに対する光源ユニット４０６ＫのＸ、Ｙ、Ｚ方向の位置は、調整工具（不図示）により調整される。
【０１２２】
光源ユニット４０６Ｋから出射される光ビームＬＫの光軸方向（Ｘ方向）における光源ユニット４０６Ｋの位置は、調整工具（不図示）により調整され、光ビームＬＫのピントが調整される。また、光軸方向（Ｘ方向）に垂直な平面（ＹＺ平面）内における光源ユニット４０６Ｋの位置は、調整工具（不図示）により調整され、回転多面鏡１１の反射面上での光ビームＬＫの結像位置が調整される。
【０１２３】
光源ユニット４０６ＫのＸ、Ｙ、Ｚ方向の位置が決定されると、光源ユニット４０６Ｋは、調整工具（不図示）により主走査方向及び副走査方向におけるそれぞれの所定の角度に保持される。鏡筒４６６Ｋと開口部４６２ａの壁面４６２ｄ及び４６２ｈとが当接しない状態で、光源ユニット４０６Ｋは、接着剤によりレーザホルダ４６２に固定される。調整工具（不図示）は、接着剤が硬化するまで、光源ユニット４０６Ｋを主走査方向及び副走査方向におけるそれぞれの所定の角度に保持する。
【０１２４】
このようにして、光源ユニット４０６Ｙ及び４０６Ｃは、調整工具（不図示）により規定され、主走査方向において同じ位置に且つ主走査方向に対して同じ角度でレーザホルダ４６２に固定される。光源ユニット４０６Ｍ及び４０６Ｋは、調整工具（不図示）により規定され、主走査方向において同じ位置に且つ主走査方向に対して同じ角度でレーザホルダ４６２に固定される。
【０１２５】
従って、レーザホルダ４６２の開口部４６２ａの壁面４６２ｃから４６２ｈは、それぞれの光源ユニット４０６の主走査方向及び副走査方向の角度に形成される必要がない。
【０１２６】
実施例２における主走査方向における静電潜像の書き出し開始タイミングの調整は、実施例１と同様であるので説明を省略する。
【０１２７】
本実施例による光走査装置１００は、レーザホルダ４６２を有しているが、光走査装置１００は、必ずしもレーザホルダ４６２を有する必要はない。レーザホルダ４６２の開口部４６２ａの代わりに、筐体７１に光源ユニット４０６を取り付けるための開口部を設けてもよい。この場合、光源ユニット４０６を筐体７１の開口部に当接せずに、調整工具を用いて光源ユニット４０６を接着剤で筐体７１の開口部に固定する。レンズ保持部材４６５は、筐体７１に固定される。
【０１２８】
本実施例によれば、実施例１と同様に、二つ一組の光源ユニットから照射される二つの光ビームは、主走査方向にほとんどずれることなく走査される。
【０１２９】
以上の実施例１又は実施例２によれば、副走査方向に延在する二つの壁面に固定された二組の光源ユニットから出射される光ビームは、主走査方向に互いにずれることはない。また、一方の壁面に固定された光源ユニットからの光ビームに基づく同期信号と、他方の壁面に固定された光源ユニットからの光ビームに基づく同期信号とに従って、光ビームの出射タイミングを制御している。従って、筐体が熱変形した場合であっても、４つの光ビームの主走査方向の相対位置関係を維持することができる。よって、主走査方向の色ずれを防止することができる。
【符号の説明】
【０１３０】
１・・・画像形成装置
６（６Ｙ、６Ｃ、６Ｍ、６Ｋ）・・・光源ユニット
１０（１０Ｙ、１０Ｍ、１０Ｃ、１０Ｋ）・・・感光ドラム（感光体）
１１・・・回転多面鏡（偏向部材）
２１（２１Ｙ、２１Ｍ、２１Ｃ、２１Ｋ）・・・光源
６２・・・レーザホルダ（光源保持部材）
６２ａ・・・開口部
７１・・・筐体
１００・・・光走査装置
Ｌ（ＬＹ、ＬＭ、ＬＣ、ＬＫ）・・・光ビーム
【図１】
2015138226.tif 000003
【図２】
2015138226.tif 000004
【図３】
2015138226.tif 000005
【図４】
2015138226.tif 000006
【図５】
2015138226.tif 000007
【図６】
2015138226.tif 000008
【図７】
2015138226.tif 000009
【図８】
2015138226.tif 000010
【図９】
2015138226.tif 000011
【図１０】
2015138226.tif 000012
【図１１】
2015138226.tif 000013
【図１２】
2015138226.tif 000014
【図１３】
2015138226.tif 000015
【図１４】
2015138226.tif 000016
【図１５】
2015138226.tif 000017
【図１６】
2015138226.tif 000018
【図１７】
2015138226.tif 000019
【図１８】
2015138226.tif 000020